(57)【要約】【課題】  特に広げる穴の直径に応じて、好適なカッターベースに交換することができる中ぐり切削工具を提供する。【解決手段】    径方向に沿って上中央上面に凹設されるスライド溝を備えるヘッド部を有するカッター座と、スライド溝に沿って移動可能にスライド溝に設置される２つのカッター調整部材と、夫々上面と反対する側に向かって延出する延出凸部と、該２つの延出凸部の上端に夫々形成されるカッター設置部と、該２つのカッター設置部に夫々設置されるカッターと、夫々底面が前記２つのカッター調整部材の上面に螺合される変更可能な２つのカッターベースと、を有することを特徴とする。【選択図】  図１
0003158166.tif 000002
【実用新案登録請求の範囲】
【請求項１】
軸部と、上面に凹設されると共に、径方向に沿って中央を貫通するスライド溝と、該スライド溝と連通すると共に、該スライド溝の両側に穿通される皿孔及び挟持螺合孔とを備えると共に、該軸部の上端に形成される、該軸部より大径のヘッド部と、を有するカッター座と、
前記スライド溝の両側においてそれぞれ平行するように、前記皿孔及び挟持螺合孔と対応する箇所に穿通される２つの調整長孔と、該皿孔及び２つの調整長孔を通過して該挟持螺合孔に螺合される挟持ボルトとを備えると共に、互いに対応しながら該スライド溝の両側に対応するように設置され、底部が該スライド溝の底面と当接するように、該スライド溝に沿って移動可能な２つのカッター調整部材と、
夫々上面と反対する側に向かって延出する延出凸部と、該２つの延出凸部の上端に夫々形成されるカッター設置部と、該２つのカッター設置部に夫々設置されるカッターとを備える、夫々底面が前記２つのカッター調整部材の上面に螺合される２つのカッターベースと、を有することを特徴とするカッター部品が変更可能な中ぐり切削工具。
【請求項２】
前記２つのカッター調整部材は夫々、その上端が前記ヘッド部の上端よりも高く、前記スライド溝の長手方向と平行する方向に伸びると共に、内周面が斜面状を呈するように、上面中央に凹設される挿設凹部を備え、
前記２つのカッターベースは、底面中央に凸設され、前記挿設凹部に挿入するように、前記挿設凹部の形状と対応し、外周面が斜面状を呈する挿設凸部を備えることを特徴とする請求項１に記載のカッター部品が変更可能な中ぐり切削工具。
【請求項３】
前記２つのカッター調整部材は夫々、該２つの挿設凹部の底面中央に凹設される挿設螺合孔を備え、
前記２つのカッターベースは、上面の前記挿設螺合孔と対応する箇所に夫々穿通される挿設貫通孔と、夫々該挿設貫通孔を介して、対応する該挿設螺合孔に螺合される挿設ボルトとを備えることを特徴とする請求項２に記載のカッター部品が変更可能な中ぐり切削工具。
【請求項４】
前記２つのカッター調整部材は前記２つの挿設凹部の両側における反対する側にそれぞれ、互いに対応しないように形成される傾斜螺合孔及び直立螺合孔を備え、
前記２つのカッターベースは、前記２つの延出凸部が夫々前記傾斜螺合孔と対応するように延出し、それらの下面における、該傾斜螺合孔と対応する箇所に夫々傾斜状に穿通される傾斜貫通孔と、該２つの傾斜貫通孔を通って、該対応する傾斜螺合孔に螺合される傾斜ボルトと、それらの下面における、該直立螺合孔と対応する箇所に穿通される直立貫通孔と、該２つの直立貫通孔を通って、該対応する直立螺合孔に螺合される直立ボルトと、を備えることを特徴とする請求項３に記載のカッター部品が変更可能な中ぐり切削工具。
【請求項５】
前記カッター座は、スライドレールの底面中央において前記軸部に向かって穿通される軸孔を備え、
更に、連動部品は、上端が前記スライド溝の底面を通過するように、前記軸孔に貫設される連動軸部と、回転可能に該連動軸部の上端に設置される連動ボードと、該スライド溝の両側に対応すると共に、該連動ボードの上面両側に凸設される連動柱とを備え
前記２つのカッター調整部材は、前記連動ボードの回転範囲に対応すると共に、前記連動ボードの両端を収容する、底面に夫々凹設される連動凹部と、夫々前記スライド溝と垂直する方向に伸びると共に、該２つの連動凹部における、２つの連動柱と対応する箇所に夫々凹設される連動溝とを備えることを特徴とする請求項１乃至４に何れか１項に記載のカッター部品が変更可能な中ぐり切削工具。
【請求項６】
前記カッター座は、前記ヘッド部の下部外周面を穿通すると共に、内端が前記軸孔と連通するように、直線的に形成される固定螺合孔を備え、
前記連動部品は、夫々前記連動軸部の外周面を穿通すると共に、前記２つの固定螺合孔と連通する位置決め孔を備え、
前記固定螺合孔の両側からそれぞれ挿入され、前記位置決め孔を通るように螺合される２つの位置決めボルトを備えることを特徴とする請求項５に記載のカッター部品が変更可能な中ぐり切削工具。
【考案の詳細な説明】
【技術分野】
【０００１】
本考案は、特に穴の内径を調整するために、カッター部品を実際の状況に合せて異なるサイズのものに交換することができる中ぐり切削工具に関するものである。
【背景技術】
【０００２】
特許文献１の図２に示すように、既存の「中ぐり切削工具」は、ホルダの前端に設置されると共に、径方向に沿って、反対する側へ移動可能なカッターを有し、該カッターによって穴の内径を調整するものである。
【特許文献１】台湾登録実用新案Ｍ２８０２５８号
【考案の開示】
【考案が解決しようとする課題】
【０００３】
しかしながら、既存の中ぐり切削工具は、カッターを調整することにより、穴の内径を調整することはできるが、前記カッターの構造が固定式であることから、穴の内径を調整する時には、スライド部材の移動によってカッターを調整しなければならないので、カッターの位置を大幅に調整することができないといった欠点があった。
【０００４】
そこで、案出されたのが本考案であって、穴の内径を調整するために、カッター部品を実際の状況に合せて異なるサイズのものに交換することができる中ぐり切削工具を提供することを目的とする。
【課題を解決するための手段】
【０００５】
本願の請求項１の考案は、軸部と、上面に凹設されると共に、径方向に沿って中央を貫通するスライド溝と、該スライド溝と連通すると共に、該スライド溝の両側に穿通される皿孔及び挟持螺合孔とを備えると共に、該軸部の上端に形成される、該軸部より大径のヘッド部と、を有するカッター座と、
前記スライド溝の両側においてそれぞれ平行するように、前記皿孔及び挟持螺合孔と対応する箇所に穿通される２つの調整長孔と、該皿孔及び２つの調整長孔を通過して該挟持螺合孔に螺合される挟持ボルトとを備えると共に、互いに対応しながら該スライド溝の両側に対応するように設置され、底部が該スライド溝の底面と当接するように、該スライド溝に沿って移動可能な２つのカッター調整部材と、
夫々上面と反対する側に向かって延出する延出凸部と、該２つの延出凸部の上端に夫々形成されるカッター設置部と、該２つのカッター設置部に夫々設置されるカッターとを備える、夫々底面が前記２つのカッター調整部材の上面に螺合される２つのカッターベースと、を有することを特徴とするカッター部品が変更可能な中ぐり切削工具、を提供する。
【０００６】
本願の請求項２の考案は、前記２つのカッター調整部材は夫々、その上端が前記ヘッド部の上端よりも高く、前記スライド溝の長手方向と平行する方向に伸びると共に、内周面が斜面状を呈するように、上面中央に凹設される挿設凹部を備え、
前記２つのカッターベースは、底面中央に凸設され、前記挿設凹部に挿入するように、前記挿設凹部の形状と対応し、外周面が斜面状を呈する挿設凸部を備えることを特徴とする請求項１に記載のカッター部品が変更可能な中ぐり切削工具、を提供する。
【０００７】
本願の請求項３の考案は、前記２つのカッター調整部材は夫々、該２つの挿設凹部の底面中央に凹設される挿設螺合孔を備え、
前記２つのカッターベースは、上面の前記挿設螺合孔と対応する箇所に夫々穿通される挿設貫通孔と、夫々該挿設貫通孔を介して、対応する該挿設螺合孔に螺合される挿設ボルトとを備えることを特徴とする請求項２に記載のカッター部品が変更可能な中ぐり切削工具、を提供する。
【０００８】
本願の請求項４の考案は、前記２つのカッター調整部材は前記２つの挿設凹部の両側における反対する側にそれぞれ、互いに対応しないように形成される傾斜螺合孔及び直立螺合孔を備え、
前記２つのカッターベースは、前記２つの延出凸部が夫々前記傾斜螺合孔と対応するように延出し、それらの下面における、該傾斜螺合孔と対応する箇所に夫々傾斜状に穿通される傾斜貫通孔と、該２つの傾斜貫通孔を通って、該対応する傾斜螺合孔に螺合される傾斜ボルトと、それらの下面における、該直立螺合孔と対応する箇所に穿通される直立貫通孔と、該２つの直立貫通孔を通って、該対応する直立螺合孔に螺合される直立ボルトと、を備えることを特徴とする請求項３に記載のカッター部品が変更可能な中ぐり切削工具、を提供する。
【０００９】
本願の請求項５の考案は、前記カッター座は、スライドレールの底面中央において前記軸部に向かって穿通される軸孔を備え、
更に、連動部品は、上端が前記スライド溝の底面を通過するように、前記軸孔に貫設される連動軸部と、回転可能に該連動軸部の上端に設置される連動ボードと、該スライド溝の両側に対応すると共に、該連動ボードの上面両側に凸設される連動柱とを備え
前記２つのカッター調整部材は、前記連動ボードの回転範囲に対応すると共に、前記連動ボードの両端を収容する、底面に夫々凹設される連動凹部と、夫々前記スライド溝と垂直する方向に伸びると共に、該２つの連動凹部における、２つの連動柱と対応する箇所に夫々凹設される連動溝とを備えることを特徴とする請求項１乃至４に何れか１項に記載のカッター部品が変更可能な中ぐり切削工具、を提供する。
【００１０】
本願の請求項６の考案は、前記カッター座は、前記ヘッド部の下部外周面を穿通すると共に、内端が前記軸孔と連通するように、直線的に形成される固定螺合孔を備え、
前記連動部品は、夫々前記連動軸部の外周面を穿通すると共に、前記２つの固定螺合孔と連通する位置決め孔を備え、
前記固定螺合孔の両側からそれぞれ挿入され、前記位置決め孔を通るように螺合される２つの位置決めボルトを備えることを特徴とする請求項５に記載のカッター部品が変更可能な中ぐり切削工具、を提供する。
【考案の効果】
【００１１】
本考案は上記の課題を解決するものであり、実際の状況に応じて異なるサイズのカッター部品に交換することができるので、容易に穴の内径を調整することができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係るカッター部品が変更可能な中ぐり切削工具の斜視図であり、図２は本考案に係るカッター部品が変更可能な中ぐり切削工具の部分分解斜視図であり、図３は本考案に係るカッター部品が変更可能な中ぐり切削工具におけるカッター調整部材とカッターベースの部分分解斜視図であり、図４は本考案に係るカッター部品が変更可能な中ぐり切削工具の部分断面図であり、図５は本考案に係るカッター部品が変更可能な中ぐり切削工具におけるカッターベースの調整状態を示す斜視図であり、図６は本考案に係るカッター部品が変更可能な中ぐり切削工具において、高さの異なるカッターベースに交換した状態を示す平面図であり、図７及び図８は本考案に係るカッター部品が変更可能な中ぐり切削工具において、径方向の長さが異なるカッターベースに交換した状態を示す平面図である。
【００１４】
図１乃至図４に示すように、本考案に係るカッター部品が変更可能な中ぐり切削工具は、カッター座（１０）と、連動部品（２０）と、２つのカッター調整部材（３０）と、２つのカッターベース（４０）とを有するものである。
【００１５】
前記カッター座（１０）は、円柱状を呈する軸部（１１）と、該軸部（１１）の上端に形成されると共に、該軸部（１１）より大径のヘッド部（１２）とを備え、該ヘッド部（１２）は、上面に凹設されると共に、径方向に沿って中央を貫通するスライド溝（１２１）と、該スライド溝（１２１）と連通すると共に、該スライド溝（１２１）の両側に穿通される皿孔（１２２）及び挟持螺合孔（１２３）と、該軸部（１１）に向かって該スライド溝（１２１）の底面中央に穿通される軸孔（１２４）と、ヘッド部（１２）の下部外周面を穿通すると共に、内端が該軸孔（１２４）と連通するように、直線的に形成される固定螺合孔（１２５）とを備える。
【００１６】
前記連動部品（２０）は、外周面を穿通すると共に、夫々前記２つの固定螺合孔（１２５）と連通する位置決め孔（２１１）を備えると共に、上端が前記スライド溝（１２１）の底面を通過するように、前記軸孔（１２４）に貫設される連動軸部（２１）と、該固定螺合孔（１２５）の両側からそれぞれ挿入され、該位置決め孔（２１１）を通るように螺合されると共に、該連動軸部（２１）を軸孔（１２４）に固定する位置決めボルト（２２）と、中央に回転孔（２３１）が穿設されると共に、回転可能に該連動軸部（２１）の上端に設置される連動ボード（２３）と、前記スライド溝（１２１）の両側に対応すると共に、該連動ボード（２３）の上面両側に凸設される連動柱（２４）と、を備えるものである。
【００１７】
前記２つのカッター調整部材（３０）は夫々、前記スライド溝（１２１）の形状と対応するブロック体であり、該スライド溝（１２１）の内部両側に対応し、底部が該スライド溝（１２１）の底面に当接するように、該スライド溝（１２１）に沿って移動可能に設置されるものである。
【００１８】
また、前記２つのカッター調整部材（３０）は、前記連動ボード（２３）の回転範囲に対応すると共に、前記連動ボード（２３）の両端を収容する、底面に夫々凹設される連動凹部（３１）と、夫々前記スライド溝（１２１）と垂直する方向に伸びると共に、該２つの連動凹部（３１）における、２つの連動柱（２４）と対応する箇所に夫々凹設される連動溝（３２）と、該スライド溝（１２１）と平行する方向に伸びると共に、夫々前記皿孔（１２２）及び挟持螺合孔（１２３）と対応する箇所に穿通される２つの調整長孔（３３）と、該皿孔（１２２）及び２つの調整長孔（３３）を通過して該挟持螺合孔（１２３）に螺合され、該調整台座（３０）を前記ヘッド部（１２）に安定的に固設する挟持ボルト（３４）とを備え、その内、カッター調整部材（３０）は、該連動溝（３２）が連動柱（２４）と対応するので、該連動ボード（２３）の回転運動と連動して対称的に移動することができる。
【００１９】
さらに、前記２つの調整台座（３０）は夫々、その上端が前記ヘッド部（１２）の上端よりも高く、前記スライド溝（１２１）と平行する方向に伸びると共に、内周面が傾斜状を呈するように、上面中央に凹設される挿設凹部（３５）と、夫々該２つの挿設凹部（３５）の底面中央に凹設される挿設螺合孔（３６）と、該２つの挿設凹部（３５）の両側における反対する側にそれぞれ、互いに対応しないように形成される傾斜螺合孔（３７）及び直立螺合孔（３８）とを備えるものである。
【００２０】
前記２つのカッターベース（４０）は夫々、底面が前記２つのカッター調整部材（３０）の上面に当接される板体であり、前記挿設凹部（３５）の形状と対応すると共に、外周面が傾斜状を呈し、夫々底面中央に凸設される挿設凸部（４１）と、夫々上面における、前記傾斜螺合孔（３７）と対応する箇所において、反対する側に向かって伸びる延出凸部（４２）と、該２つの延出凸部（４２）の上端に夫々形成されるカッター設置部（４２１）と、該２つのカッター設置部（４２１）に夫々設置されるカッター（４３）と、上面の前記挿設螺合孔（３６）と対応する箇所に夫々穿通される挿設貫通孔（４４）と、夫々該挿設貫通孔（４４）を介して、対応する形状の該挿設螺合孔（３６）に螺合される挿設ボルト（４４１）と、それらの下面における、該傾斜螺合孔（３７）と対応する箇所に夫々傾斜状に穿通される傾斜貫通孔（４５）と、該２つの傾斜貫通孔（４５）を通って、該対応する傾斜螺合孔（３７）に螺合される傾斜ボルト（４５１）と、それらの下面における、直立螺合孔（３８）と対応する箇所に穿通される直立貫通孔（４６）と、該２つの直立貫通孔（４６）を通って、該対応する直立螺合孔（３８）に螺合される直立ボルト（４６１）と、を備えるものである。
【００２１】
図２乃至図４に示すように、本考案に係るカッター部品が変更可能な中ぐり切削工具を使用する時は、カッター座（１０）の軸部（１１）を切削機械のホルダに挿入して該ホルダを中ぐり切削機械と連結して回転させることにより、２つのカッターベース（４０）に夫々設置されるカッター（４３）で穴を開ける。また、前記各カッターベース（４０）は、挿設凸部（４１）における傾斜状の外周面とカッター調整部材（３０）の挿設凹部（３５）における傾斜状の内周面との対応し合う構成によって、安定的に挿設凹部（３５）に嵌合される。
【００２２】
図６に示すように、本考案に係るカッター部品が変更可能な中ぐり切削工具は、カッターベース（４０）を夫々、変更可能にカッター調整部材（３０）の上面に設置するものであるので、加工する穴の内径によって、適宜なカッターベース（４０）に交換することができる。また、前記カッターベース（４０）を変更するには、先ず挿設ボルト（４４１）と直立ボルト（４６１）と傾斜ボルト（４５１）を緩めてカッターベース（４０）をカッター調整部材（３０）の上面から取り外し、それから、他のカッターベース（４０Ａ）をカッター調整部材（３０）の上面に設置し、挿設ボルト（４４１）と直立ボルト（４６１）と傾斜ボルト（４５１）を再び該カッター調整部材（３０）に螺合し、カッター（４３Ａ）を該カッターベース（４０Ａ）に固設する。この方法によれば、カッターベース（４０）を簡単に変更することができると共に、２つのカッター（４３Ａ）の間の距離の増減を調整することができる。
【００２３】
図７及び図８に示すように、２つのカッター（４３）の間の距離を少量の調整を行う時は、先ず挟持ボルト（３４）を緩めれば、カッター調整部材（３０）をスライド溝（１２１）に沿って移動させて調整することができる。また、本実施例によれば、前記２つのカッター調整部材（３０）の連動溝（３２）が夫々連動柱（２４）と対応するので、連動ボード（２３）の回転運動と連動することによって、該２つのカッター調整部材（３０）を対称的に、反対する側へ移動させることができる。さらに、２つのカッターベース（４０）のカッター（４３）をそれぞれカッター座（１０）の相対する対称箇所に位置させることができる。カッター調整部材（３０）を位置決めさせれば、再び挟持ボルト（３４）を設置し、カッター（４３）の調整することが完成する。
【産業上の利用可能性】
【００２４】
本考案係るカッター部品が変更可能な中ぐり切削工具は上記の構成を有するので、実際状況に対応する異なるサイズのカッター部品に交換することができることによって、くり広けた穴の内径を調整することができる。
【図面の簡単な説明】
【００２５】
【図１】本考案に係るカッター部品が変更可能な中ぐり切削工具の斜視図である。
【図２】本考案に係るカッター部品が変更可能な中ぐり切削工具の部分分解斜視図である。
【図３】本考案に係るカッター部品が変更可能な中ぐり切削工具におけるカッター調整部材とカッターベースの部分分解斜視図である。
【図４】本考案に係るカッター部品が変更可能な中ぐり切削工具の部分断面図である。
【図５】本考案に係るカッター部品が変更可能な中ぐり切削工具におけるカッターベースの調整状態を示す斜視図である。
【図６】本考案に係るカッター部品が変更可能な中ぐり切削工具において、高さの異なるカッターベースに交換した状態を示す平面図である。
【図７】本考案に係るカッター部品が変更可能な中ぐり切削工具において、径方向の長さが異なるカッターベースに交換した状態を示す平面図である。
【図８】本考案に係るカッター部品が変更可能な中ぐり切削工具において、径方向の長さが異なるカッターベースに交換した状態を示す平面図である。
【符号の説明】
【００２６】
１０        カッター座
１１        軸部
１２        ヘッド部
１２１      スライド溝
１２２      皿孔
１２３      挟持螺合孔
１２４      軸孔
１２５      固定螺合孔
２０        連動部品
２１        連動軸部
２１１      位置決め孔
２２        位置決めボルト
２３        連動ボード
２３１      回転孔
２４        連動柱
３０        カッター調整部材
３１        連動凹部
３２        連動溝
３３        調整長孔
３４        挟持ボルト
３５        挿設凹部
３６        挿設螺合孔
３７        傾斜螺合孔
３８        直立螺合孔
４０        カッターベース
４１        挿設凸部
４２        延出凸部
４２１      カッター設置部
４３        カッター
４４        挿設貫通孔
４４１      挿設ボルト
４５        傾斜貫通孔
４５１      傾斜ボルト
４６        直立貫通孔
４６１      直立ボルト
４０Ａ      カッターベース
４３Ａ      カッター
【図１】
0003158166.tif 000003
【図２】
0003158166.tif 000004
【図３】
0003158166.tif 000005
【図４】
0003158166.tif 000006
【図５】
0003158166.tif 000007
【図６】
0003158166.tif 000008
【図７】
0003158166.tif 000009
【図８】
0003158166.tif 000010